(57)【特許請求の範囲】
【請求項１】
種子の表面に被覆層が形成された球状の被覆造粒種子であって、
前記被覆層が疎水性の非晶質無機粒子を含有し、
前記非晶質無機粒子の前記被覆層における含有量が０．０２ｗｔ％以上５ｗｔ％未満であることを特徴とする被覆造粒種子。
【請求項２】
前記非晶質無機粒子がケイ素酸化物及びチタン酸化物の少なくとも一方を主成分とする粒子である請求項１記載の被覆造粒種子。
【請求項３】
前記非晶質無機粒子が１０ｎｍ〜１０００ｎｍの一次粒子径を有し、凝集して二次粒子を形成している請求項１又は２記載の被覆造粒種子。
【発明の詳細な説明】
【技術分野】
【０００１】
本発明は、種子の表面に被覆層が形成された被覆造粒種子に関するものである。
【背景技術】
【０００２】
近年、播種作業の省力化を図るために、多様な形状をした作物種子の表面に造粒材によって被覆層を形成し造粒・球状化することが行われている。この被覆造粒に用いる造粒材としては、鉱物粉体などの天然の無機粉体がこれまでから広く使用されている。
【０００３】
ところが、天然の無機粉体は、組成及び品質にばらつきがあり、被覆造粒した粒子が球状化せず異形化し、種子の一部が被覆されないことがあった。被覆造粒した種子が異形化すると、例えば播種機による播種が円滑に行われないなどの不具合が生じる。このため、ポリビニルアルコール（ＰＶＡ）やカルボキシメチルセルロース（ＣＭＣ）、ゼラチンなどの結合剤を造粒材に添加して被覆造粒種子の球状化を促進させることが行われている（例えば特許文献１など）。
【先行技術文献】
【特許文献】
【０００４】
【特許文献１】特開昭５８−１４１７０９号公報
【特許文献２】特開平２−６０５１０号公報
【発明の概要】
【発明が解決しようとする課題】
【０００５】
しかしながら、結合剤を多量に添加すると、被覆造粒種子は球状にはなるものの種子の発芽率が低下する。
【０００６】
また、被覆造粒種子の生産性を高める観点から、被覆造粒処理の時間短縮化が望まれている。
【０００７】
なお、特許文献２に、特定の非晶質シリカを被覆層に所定量含有させた被覆造粒種子が開示されているが、特許文献２に記載の発明の目的は、土壌に播種した際に被覆層が崩壊せずに大きく割れるようにすることであり、特許文献２の実施例で使用している非晶質シリカはいずれも親水性である。
【０００８】
本発明の目的は、球状で、しかも高い発芽率を維持し、短時間で被覆造粒ができる被覆造粒種子を提供することにある。
【課題を解決するための手段】
【０００９】
本発明によれば、種子の表面に被覆層が形成された球状の被覆造粒種子であって、前記被覆層が疎水性の無機粒子を含有することを特徴とする被覆造粒種子が提供される。
【００１０】
ここで、前記無機粒子はケイ素酸化物及びチタン酸化物の少なくとも一方を主成分とする粒子であるのが好ましい。
【００１１】
また、前記無機粒子は非晶質の粒子であるのが好ましい。
【００１２】
そしてまた、前記無機粒子は１０ｎｍ〜１０００ｎｍの一次粒子径を有し、凝集して二次粒子を形成しているのが好ましい。
【００１３】
前記無機粒子の前記被覆層における含有量としては０．０２ｗｔ％〜５ｗｔ％の範囲であるのが好ましい。
【発明の効果】
【００１４】
本発明に係る被覆造粒種子では、種子表面を被覆する被覆層に疎水性の無機粒子が含有されているので、球状でしかも高い発芽率を維持し、短時間で被覆造粒可能となる。
【図面の簡単な説明】
【００１５】
【図１】実施例１における球状の被覆造粒種子と非球状（変形）の被覆造粒種子の写真である。
【図２】実施例２における球状の被覆造粒種子と非球状（変形）の被覆造粒種子の写真である。
【発明を実施するための形態】
【００１６】
本発明に係る被覆造粒種子の大きな特徴は、種子表面を被覆する被覆層に疎水性の無機粒子が含有されていることにある。被覆層に疎水性の無機粒子が含有されていることによって高い発芽率を維持しながら球状化でき、また被覆造粒時間を短縮できる詳細な機構については未だ充分には解明されていないが、本発明者等は次のような機構によるものではないかと今のところ推測している。被覆層に無機粒子が含有されていると、鉱物粉体などの被覆材によって種子を造粒球状化する際に、形成途上の被覆層に不均一な力が加わったときに、疎水性の無機粒子がその力を分散させて被覆層全体に均一に力が加わるようにし、結果として種子の周り全体に被覆層が形成されて球状の被覆造粒種子が形成される。
【００１７】
本発明で使用する無機粒子としては、疎水性のものであれば特に限定はなく従来公知の無機粒子が使用できる。中でも、ケイ素酸化物及びチタン酸化物の少なくとも一方を主成分とする粒子が好ましい。さらには、非晶質の粒子であるのが好ましい。
【００１８】
本発明で好適に使用されるケイ素酸化物を主成分とする粒子としては、疎水化処理されたシリカ粒子が挙げられる。疎水化処理剤としては、特に制限はないが、例えば、シランカップリング剤、シリコーンオイル、チタネート系カップリング剤、アルミニウム系カップリング剤などが挙げられる。これらは、１種単独で使用してもよいし、２種以上を併用してもよい。これらの中でもシランカップリング剤が好適に挙げられる。
【００１９】
前記シランカップリング剤としては、例えば、クロロシラン、アルコキシシラン、アシルオキシシラン、シラザン、特殊シリル化剤のいずれかのタイプを使用することが可能である。
【００２０】
シリカ粒子に対する疎水化処理剤の量としては、シリカ粒子の種類等により異なり一概に規定することはできないが、通常、シリカ粒子１００重量部に対して、２〜５０重量部程度であり、好ましくは５〜２０重量部程度である。なお、本発明においては、疎水性シリカ粒子として、市販品を好適に使用することができる。本発明において使用可能な市販されている疎水性シリカ粒子としては、例えば、「ＨＤＫ Ｈ１５」、「ＨＤＫ Ｈ１８」、「ＨＤＫ Ｈ２０」、「ＨＤＫ Ｈ３０」（以上、ワッカー社）；「ＴＳ−３８２」、「ＴＳ−５００」、「ＴＳ−５３０」、「ＴＳ−６１０」（以上、キャボット社）；「ＡＺ−２６０」、「ＡＺ−３６０」、「ＡＹ−４６０」（以上、東ソー・シリカ社）；「ＭＴ−１０」、「ＤＭ−１０」、「ＫＳ−２０ＳＣ」、「ＨＭ−２０Ｌ」、「ＤＭ−２０」（以上、トクヤマ社）；「Ｄ１０」、「Ｄ１３」、「Ｄ１７」（以上、エボニック社）；「Ｒ９７２」、「Ｒ９７４」、「Ｒ８０５」、「Ｒ８１２」、「Ｒ８１６」（以上、日本アエロジル社）等が挙げられる。
【００２１】
また、本発明で好適に使用されるチタン酸化物を主成分とする粒子としては、疎水化処理されたチタン粒子が挙げられる。疎水化処理剤としては、特に制限はないが、例えば、シランカップリング剤、シリコーンオイルなどが挙げられる。これらは、１種単独で使用してもよいし、２種以上を併用してもよい。これらの中でもシランカップリング剤が好適に挙げられる。
【００２２】
シランカップリング剤としては、例えば、オルガノアルコキシシラン、オルガノアシルオキシシラン、オルガノクロロシラン、オルガノシラザン、特殊シリル化剤のいずれかのタイプも使用することもできる。この中で、好適にはオルガノアルコキシシラン及びオルガノアシルオキシシランがより好適に用いられる。
【００２３】
酸化チタン粒子に対する疎水化処理剤の処理量としては、酸化チタン粒子に１００重量部対して１２〜２５重量部が好ましく、更に１５〜２２重量部であることが特に好ましい。なお、本発明においては、疎水性の酸化チタン粒子として、市販品を好適に使用することができる。本発明において使用可能な市販されている疎水性の酸化チタン粒子としては、例えば、「ＤＩＳ−１０Ａ」、「ＤＩＳ−１１Ａ」（以上、堺化学工業社）；「ＭＴＹ−７００ＢＳ」、「ＪＭＴ−１５０ＩＢ」（以上、テイカ社）；「ＳＴＴ−３０ＥＨＪ」(以上、チタン工業社)、「ＮＫＴ−９０」、「Ｔ−８０５」（以上、日本アエロジル社）等が挙げられる。
【００２４】
疎水性シリカ粒子及び疎水性酸化チタン粒子などの本発明で使用する無機粒子の一次粒子径は１０ｎｍ〜１０００ｎｍの範囲が好ましく、より好ましくは２０ｎｍ〜１００ｎｍの範囲である。加えて、これらの無機粒子が凝集して二次粒子を形成しているのが好ましい。
【００２５】
また、無機粒子の被覆層における含有量は０．０２ｗｔ％〜５ｗｔ％の範囲が好ましい。無機粒子の含有量が０．０２ｗｔ％未満では、被覆造粒種子が異形化し種子の一部が被覆されないおそれがある一方、含有量が５ｗｔ％を超えると種子の発芽率が低下するおそれがある。
【００２６】
本発明の被覆層は、鉱物粉体などからなる造粒材により形成される。造粒材としては、従来公知の造粒材が使用され、例えば無機粉体に、必要により結合剤や添加剤を配合したものが好適に使用できる。無機粉体としては、カオリン鉱物(カオリナイト、ディッカイト、ナクライト、ハロサイト等)、蛇紋石(クリソタイル、リザータイト、アンチコライト、アメサイト等)、モンモリロナイト鉱物(ナトリウムモンモリロナイト、カルシウムモンモリロナイト、マグネシウムモンモリロナイト等)、スメクタイト(サポナイト、ヘクトライト、ソーコナイト、ハイデライト等)、パイロフィライト、タルク、蝋石、雲母(白雲母、フェンジャイト、セリサイト、イライト等)、複鎖型粘土鉱物(パリゴルスカイト、セピオライト等)、石膏等の硫酸塩鉱物、ドロマイト、炭酸カルシウム、ギプサム、ゼオライト、凝灰石、バーミキュライト、ラポナイト、軽石、珪藻土、酸性白土、活性白土、パーライト、シラスバルーンなどが挙げられる。これらの無機粉体のうち１種を単独で、又は、２種以上を混合若しくは併用して用いることができる。無機粉体の平均粒径は、１〜１００μｍが好ましく、さらに好ましくは５〜５０μｍの範囲である。
【００２７】
本発明の被覆層は、必要に応じて撥水剤を含んでいてもよい。撥水剤としては、従来公知のものが使用できる。例えば、油脂、蝋、高級脂肪酸およびその金属塩、高級脂肪族アルコールおよびそのアルキレンオキサイド付加物、シリコン系撥水剤、フッ素系撥水剤等が挙げられる。
【００２８】
結合剤としては、従来公知のものが使用できる。例えば、ポリビニルアルコール（ＰＶＡ）、ポリビニルピロリドン（ＰＶＰ）、カルボキシメチルセルロース（ＣＭＣ）、澱粉、ショ糖、セルロース・アセテート、セルロース・アセテート・プロピオネート、メチルセルロース、ヒドロキシプロピルセルロース、プルラン、ゼラチン等が挙げら、これら１種又は２種以上を組み合わせて使用する。
【００２９】
また、必要により配合する添加剤としては、例えば、過酸化カルシウム等の発根・発芽促進剤、植物ホルモン、消毒剤、抗真菌剤、殺菌剤、殺バクテリア剤、殺微生物剤、殺軟体動物剤、殺虫剤や殺センチュウ剤などの農薬、防虫剤、肥料、揺変剤、造粒物の比重を大きくするための砂や鉄粉等の錘、魚等に食べられないようにするための着色剤や忌避剤、有用微生物等が挙げられる。
【００３０】
被覆造粒される種子については、その形状及び種類に特に限定はなく、例えば（ｉ）長さ２．０〜５．０ｍｍ、幅０．５〜２．０ｍｍ、且つ、厚さ０．３〜０．５ｍｍの長粒状の種子（例えば、レタス種子が挙げられる。）、（ii）直径１．０〜３．０ｍｍの略球状の種子（例えば、キャベツ種子が挙げられる。）及び（iii）直径１．５〜４．０ｍｍの偏平な卵円状の種子（例えば、ナス種子が挙げられる。）、並びに、他の任意の形状の種子が挙げられる。詳しくは、例えば野菜種子、草花種子、牧草種子、野草種子、穀物種子及び工芸作物種子が挙げられ、より具体的には以下のものが挙げられる。
【００３１】
野菜種子としては、例えばキュウリ、メロン、カボチャ等のウリ科の野菜種子；ナス、トマト等のナス科の野菜種子；エンドウ、インゲン等のマメ科の野菜種子；タマネギ、ネギ等のユリ科の野菜種子；カブ、ハクサイ、キャベツ、ハナヤサイ等のブラシカ属及びダイコンなどのアブラナ科の野菜種子；ニンジン、セロリ等のセリ科の野菜種子；ゴボウ、レタス、シュンギク等のキク科の野菜種子；シソ等のシソ科の野菜種子；ホウレンソウ等のアカザ科の野菜種子等が挙げられる。これらの中でも、被覆造粒種子が異形化すると特に不具合を生じる略球状状の種子であるユリ科、アブラナ科の野菜種子について本発明は好適に適用される。
【００３２】
草花種子としては、例えばハボタン、ストック、アリッサム等のアブラナ科の草花種子、例えばロベリア等のキキョウ科の草花種子、例えばアスター、ジニア、ヒマワリ等のキク科の草花種子、例えばデルフィニウム等のキンポウゲ科の草花種子、例えばキンギョソウ等のゴマノハグサ科の草花種子、例えばプリムラ等のサクラソウ科の草花種子、例えばベゴニア等のシュウカイドウ科の草花種子、例えばサルビア等のシソ科の草花種子、例えばパンジー、ビオラ等のスミレ科の草花種子、例えばペチュニア等のナス科の草花種子、例えばユーストマ等のリンドウ科の草花種子等が挙げられる。
【００３３】
牧草種子としては、例えば、チモシー（オオアワガエリ）、イタリアンライグラス（ネズミムギ）、バーミューダグラス（ギョウギシバ）、オーツヘイ（燕麦）、スーダングラス、クレイングラス、フェスク、及び、オーチャードグラス（カモガヤ）の牧草種子が挙げられる。
【００３４】
野草種子としては、例えば、アルファルファ（ムラサキウマゴヤシ）、クローバー（シロツメクサ）等のマメ科の野草種子、例えばメヒシバ等のイネ科の野草種子等が挙げられる。
【００３５】
穀物種子としては、例えば、イネ、オオムギ、コムギ、ダイズ、アワ、ヒエ及びキビが挙げられる。
【００３６】
工芸作物種子としては、例えば、テンサイなどのアカザ科種子、タバコなどのナス科種子、ナタネなどのアブラナ科種子、イグサ等のイネ科種子が挙げられる。
【００３７】
被覆造粒される種子は予め、選別、除菌、発芽改良などのための処理が施されていてもよい。また、種子の表面に過酸化カルシウム等の発根・発芽促進剤、植物ホルモン、消毒剤、抗真菌剤、殺菌剤、殺バクテリア剤、殺微生物剤、殺軟体動物剤、殺虫剤や殺センチュウ剤などの農薬、有用微生物、防虫剤、有害動物忌避剤、撥水剤、界面活性剤、増粘剤、着色材、抗発泡剤等が添加されていてもよい。また、これらの添加剤は結合剤によって種子表面に固定されていてもよい。
【００３８】
被覆造粒種子は、例えば、前記種子に対して、傾斜回転パン型造粒機や流動層造粒機等の従来公知の造粒機を用いて、水及び／又は結合剤を噴霧しながら、疎水性の無機粒子を添加した造粒材を徐々に供給することにより製造される。撥水剤や農薬活性成分、顔料等も必要により造粒材に混合しても構わない。また、造粒操作を繰り返して被覆層を積層構造としても構わない。そしてまた、長時間の輸送や保存を考慮した場合には、造粒後に被覆造粒種子を乾燥することが推奨される。被覆造粒種子を乾燥する場合の品温としては、種子に高温ストレスを与えないよう、５０℃以下、詳しくは５℃〜５０℃の範囲が好ましい。乾燥装置としては、従来公知の乾燥装置を用いることができ、例えば流動層乾燥機やドラム乾燥機、静置式の棚型乾燥機などが好適に使用される。
【００３９】
被覆造粒種子の粒径については特に限定はなく、播種作業の作業性に応じて、また、種子の発芽を妨げない程度の大きさとなるように、種子の大きさや植物種に応じて適宜決定される。平均粒径としては通常１〜２０ｍｍの範囲が好適である。具体的には、キャベツ、レタス、ハクサイ、ニンジンなどの野菜種子については、直径２．５〜３．５ｍｍ；タマネギ及びネギ類、トマト、ナス等の大型の種子については、直径３．５〜４．５ｍｍ；ユーストマ等の微細な種子については、直径１．０〜１．７ｍｍである。
【実施例】
【００４０】
以下、本発明を実施例によりさらに詳しく説明するが本発明はこれらの例に何ら限定されるものではない。
【００４１】
（実施例１）
（被覆材の作製）
造粒材としてのパリゴルスカイトを８０重量部、撥水剤としてのステアリン酸カルシウムを２０重量部、疎水性の無機粒子としての疎水性非晶質シリカを０．１重量部（被覆材に対して０．１ｗｔ％）をそれぞれ小型タンブラーミキサーに投入し、３０分撹拌混合し、種子被覆用の被覆材を作製した。
【００４２】
（被覆造粒種子を作製）
種子としてのブロッコリーの種子１５ｇ（粒数：２０００粒）を直径３６ｃｍの遠心流動型の転動造粒機に投入し、回転撹拌させながら、水道水をスプレーで噴霧して、種子に吹きつけながら、被覆材を徐々に投入し、最終的に１００粒の重量が３ｇになるまで造粒した。そして、造粒機から造粒物を取り出し、３５℃の温風を１５分間吹き付けて、被覆層を乾燥した。次いで、３５℃設定の棚置き乾燥機に一晩入れ、内部種子の含水率が７％ｄｗ以下になるまで乾燥した。乾燥後の被覆造粒種子を篩にかけ、直径約３．０ｍｍの被覆造粒種子を得た。得られた被覆造粒種子の球状化率及び発芽率を下記のようにして測定した。結果を表１に示す。
【００４３】
（球状化率の測定）
得られた被覆造粒種子から２００粒を無作為抽出し、球状のものと非球状のものとを目視によって選別し、球状の被覆造粒種子の個数割合を算出して、これを球状化率（％）とした。なお、最長径／最短径が１．１以下のものを球状とした。図１に、球状の被覆造粒種子と非球状（変形）の被覆造粒種子の写真を示す。写真の左側が球状の被覆造粒種子、右側が変形の被覆造粒種子である。
【００４４】
（発芽試験）
濾紙２枚を敷いた直径９ｃｍのシャーレを２個用意し、そこに水４．５ｍＬを滴下した後、被覆造粒種子の５０粒をそれぞれ置床し、温度１５度及び温度２０℃で約９００ルクスの光条件下で保存して７日目の発芽率（％）を測定した。
【００４５】
（比較例１）
被覆材に疎水性非晶質シリカを添加しなかった以外は実施例１と同様にして被覆造粒種子を得て、球状化率及び発芽率を測定した。結果を表１に示す。
【００４６】
【表１】
0006764218.tif 000002
【００４７】
表１から理解されるように、実施例１の被覆造粒種子と比較例１の被覆造粒種子とで発芽率に大きな差は見られなかったが、球形化率においては比較例１では８８％であったのに対し、実施例１では１００％と両者に大きな差が見られた。
【００４８】
（実施例２）
（被覆材の作製）
造粒材としてのパリゴルスカイトを８０重量部、撥水剤としてのステアリン酸カルシウムを２０重量部、疎水性の無機粒子としての疎水性非晶質シリカを０．０２重量部（被覆材に対して０．０２ｗｔ％）をそれぞれ小型タンブラーミキサーに投入し、３０分撹拌混合し、種子被覆用の被覆材を作製した。
【００４９】
種子としてのタマネギの種子１５ｇ（粒数：３５００粒）を直径３６ｃｍの遠心流動型の転動造粒機に投入し、回転撹拌させながら、水道水をスプレーで噴霧して、種子に吹きつけながら、被覆材を徐々に投入し、最終的に１００粒の重量が５ｇになるまで造粒した。そして、造粒機から造粒物を取り出し、３５℃の温風を１５分間吹き付けて、被覆層を乾燥した。次いで、３５℃設定の棚置き乾燥機に一晩入れ、内部種子の含水率が７％ｄｗ以下になるまで乾燥した。乾燥後の被覆造粒種子を篩にかけ、直径約３．５ｍｍの被覆造粒種子を得た。得られた被覆造粒種子の球状化率を下記のようにして測定した。結果を表２に示す。図２に、球状の被覆造粒種子と非球状（変形）の被覆造粒種子の写真を示す。写真の左側が球状の被覆造粒種子、右側が変形の被覆造粒種子である。
【００５０】
（実施例３〜５，参考例１，２）
被覆材への疎水性非晶質シリカの添加量を表２に示す添加量とし、実施例１と同様にして被覆造粒種子を得て球状化率を測定した。結果を表２に示す。また、実施例４については、球形化率の他、被覆造粒に要した加工時間と発芽率（％）も測定した。結果を表２に合わせて示す。
【００５１】
（比較例２）
被覆材に疎水性非晶質シリカを添加しなかった以外は実施例２と同様にして被覆造粒種子を得て、球状化率、加工時間及び発芽率を測定した。結果を表２に合わせて示す。
【００５２】
（比較例３）
無機粒子として疎水性非晶質シリカに換えて親水性非晶質シリカを０．５重量部（被覆材に対して０．５ｗｔ％）添加した以外は実施例２と同様にして被覆造粒種子を得て、球状化率、加工時間及び発芽率を測定した。結果を表２に合わせて示す。
【００５３】
【表２】
0006764218.tif 000003
【００５４】
表２から明らかなように、疎水性非晶質シリカを０．０２ｗｔ％から３．０ｗｔ％まで添加した実施例２〜５の被覆造粒種子では、球形化率が９６％以上と高かった。
これに対して、疎水性非晶質シリカを添加しなかった比較例２の被覆造粒種子及び親水性非晶質シリカを添加した比較例３の被覆造粒種子では球形化率は８２％及び７２％と低かった。また、比較例２及び比較例３では加工時間がいずれも２２分であったのに対し、疎水性非晶質シリカを添加した実施例４では１９分と短かった。
【００５５】
（実施例６）
被覆材に、疎水性非晶質シリカに換えて疎水性酸化チタンを１．０ｗｔ％添加した以外は実施例２と同様にして被覆造粒種子を得て、球状化率及び加工時間を測定した。結果を表３に示す。
【００５６】
（比較例４）
被覆材に疎水性酸化チタンを添加しなかった以外は実施例８と同様にして被覆造粒種子を得て、球状化率及び加工時間を測定した。結果を表３に示す。
【００５７】
【表３】
0006764218.tif 000004
【００５８】
表３から理解されるように、疎水性非晶質シリカに換えて疎水性酸化チタンを添加した実施例６の被覆造粒種子は、疎水性酸化チタンを添加しなかった比較例４の被覆造粒種子に比べて、加工時間は短く球形化率は高かった。
【００５９】
（実施例７）
造粒材としての蝋石を３０重量部、ゼオライトを２０重量部、シラスバルーンを３０重量部、珪藻土を２０重量部、疎水性の無機粒子としての疎水性非晶質シリカを０．５重量部（被覆材に対して０．５ｗｔ％）をそれぞれ小型タンブラーミキサーに投入し、３０分撹拌混合し、種子被覆用の被覆材を作製した。
【００６０】
種子としてのトルコギキョウの種子１．０ｇ（粒数：３００００粒）を直径３６ｃｍの遠心流動型の転動造粒機に投入し、回転撹拌させながら、ＰＶＰ水溶液（４．０％）をスプレーで噴霧して、種子に吹きつけながら、被覆材を徐々に投入し、最終的に１００粒の重量が０．２ｇになるまで造粒した。そして、造粒機から造粒物を取り出し、３５℃の温風を１５分間吹き付けて、被覆層を乾燥した。次いで、３５℃設定の棚置き乾燥機に一晩入れ、内部種子の含水率が７％ｄｗ以下になるまで乾燥した。乾燥後の被覆造粒種子を篩にかけ、直径約１．０ｍｍの被覆造粒種子を得た。得られた被覆造粒種子の加工時間及び発芽率を測定した。結果を表４に示す。
【００６１】
（比較例５）
被覆材に疎水性非晶質シリカを添加しなかった以外は実施例７と同様にして被覆造粒種子を得て、加工時間及び発芽率を測定した。結果を表４に示す。
【００６２】
【表４】
0006764218.tif 000005
【００６３】
表４から明らかなように、トルコギキョウの種子を被覆造粒した場合には、疎水性非晶質シリカを０．５ｗｔ％添加した実施例７と、疎水性非晶質シリカを添加しなかった比較例５とで、発芽率に大きな差は見られなかったが、被覆造粒に要する加工時間が実施例７の場合の方が比較例５の場合よりも短かった。
【産業上の利用可能性】
【００６４】
本発明に係る被覆造粒種子は、球状でしかも高い発芽率を維持し、短時間で被覆造粒可能であり有用である。
【図１】
0006764218.tif 000006
【図２】
0006764218.tif 000007